(57)【特許請求の範囲】
【請求項１】
IP(Internet Protocol)伝送方式で伝送される放送信号を受信する受信部と、
前記IP伝送方式のプロトコルスタックにおける物理層で伝送される第１の制御情報に基づいて、前記物理層よりも上位の層で伝送される第２の制御情報を取得する取得部と、
前記第２の制御情報に基づいて、前記放送信号から得られる信号を処理する各部の動作を制御する制御部と
を備え、
前記物理層では、グルーピングすることが可能な１又は複数のPLP(Physical Layer Pipe)ごとにデータが伝送され、
前記第１の制御情報は、前記PLPごとに、
前記第２の制御情報が存在するか否かを示す第１の情報と、
前記PLPのグループであるPLPグループを識別するための第２の情報と、
前記PLPが共有されたシェアードPLPであるか否かを示す第３の情報と
を含み、
前記第２の制御情報は、放送サービスを選局するための選局情報を含んでいる
受信装置。
【請求項２】
前記シェアードPLPは、複数の前記PLPグループに属している
請求項１に記載の受信装置。
【請求項３】
前記第２の制御情報は、前記PLPグループごとに伝送される
請求項１又は２に記載の受信装置。
【請求項４】
前記第１の制御情報は、プリアンブルとデータ部から構成される物理層フレームにおける前記プリアンブルに配置される
請求項１乃至３のいずれかに記載の受信装置。
【請求項５】
前記第１の制御情報は、所定の規格に準拠した物理層で伝送される第１のシグナリング情報であり、
前記第２の制御情報は、前記所定の規格に準拠した物理層よりも上位の層で伝送される第２のシグナリング情報である
請求項４に記載の受信装置。
【請求項６】
受信装置の受信方法において、
前記受信装置が、
IP伝送方式で伝送される放送信号を受信し、
前記IP伝送方式のプロトコルスタックにおける物理層で伝送される第１の制御情報に基づいて、前記物理層よりも上位の層で伝送される第２の制御情報を取得し、
前記第２の制御情報に基づいて、前記放送信号から得られる信号を処理する各部の動作を制御する
ステップを含み、
前記物理層では、グルーピングすることが可能な１又は複数のPLPごとにデータが伝送され、
前記第１の制御情報は、前記PLPごとに、
前記第２の制御情報が存在するか否かを示す第１の情報と、
前記PLPのグループであるPLPグループを識別するための第２の情報と、
前記PLPが共有されたシェアードPLPであるか否かを示す第３の情報と
を含み、
前記第２の制御情報は、放送サービスを選局するための選局情報を含んでいる
受信方法。
【請求項７】
コンテンツを取得する取得部と、
IP伝送方式のプロトコルスタックにおける物理層で伝送される第１の制御情報を生成する生成部と、
前記IP伝送方式に従い、前記コンテンツとともに、前記第１の制御情報及び前記物理層よりも上位の層で伝送される第２の制御情報を、放送信号として送信する送信部と
を備え、
前記物理層では、グルーピングすることが可能な１又は複数のPLPごとにデータが伝送され、
前記第１の制御情報は、前記PLPごとに、
前記第２の制御情報が存在するか否かを示す第１の情報と、
前記PLPのグループであるPLPグループを識別するための第２の情報と、
前記PLPが共有されたシェアードPLPであるか否かを示す第３の情報と
を含み、
前記第２の制御情報は、放送サービスを選局するための選局情報を含んでいる
送信装置。
【請求項８】
前記シェアードPLPは、複数の前記PLPグループに属している
請求項７に記載の送信装置。
【請求項９】
前記第２の制御情報は、前記PLPグループごとに伝送される
請求項７又は８に記載の送信装置。
【請求項１０】
前記第１の制御情報は、プリアンブルとデータ部から構成される物理層フレームにおける前記プリアンブルに配置される
請求項７乃至９のいずれかに記載の送信装置。
【請求項１１】
前記第１の制御情報は、所定の規格に準拠した物理層で伝送される第１のシグナリング情報であり、
前記第２の制御情報は、前記所定の規格に準拠した物理層よりも上位の層で伝送される第２のシグナリング情報である
請求項１０に記載の送信装置。
【請求項１２】
送信装置の送信方法において、
前記送信装置が、
コンテンツを取得し、
IP伝送方式のプロトコルスタックにおける物理層で伝送される第１の制御情報を生成し、
前記IP伝送方式に従い、前記コンテンツとともに、前記第１の制御情報及び前記物理層よりも上位の層で伝送される第２の制御情報を、放送信号として送信する
ステップを含み、
前記物理層では、グルーピングすることが可能な１又は複数のPLPごとにデータが伝送され、
前記第１の制御情報は、前記PLPごとに、
前記第２の制御情報が存在するか否かを示す第１の情報と、
前記PLPのグループであるPLPグループを識別するための第２の情報と、
前記PLPが共有されたシェアードPLPであるか否かを示す第３の情報と
を含み、
前記第２の制御情報は、放送サービスを選局するための選局情報を含んでいる
送信方法。
【発明の詳細な説明】
【技術分野】
【０００１】
本技術は、受信装置、受信方法、送信装置、及び、送信方法に関し、特に、より柔軟な運用を行うことができるようにした受信装置、受信方法、送信装置、及び、送信方法に関する。
【背景技術】
【０００２】
デジタル放送の規格では、１つの周波数帯域に、複数のPLP(Physical Layer Pipe)を配置することができる場合に、任意のPLPをグルーピングするための情報が規定されているものがある（例えば、非特許文献１参照）。例えば、非特許文献１では、物理層のシグナリング情報として、PLPグループID（PLP_GROUP_ID）が規定されている。
【先行技術文献】
【非特許文献】
【０００３】
【非特許文献１】ETSI EN 302 755 V1.2.1 (2010-10)
【発明の概要】
【発明が解決しようとする課題】
【０００４】
ところで、複数のPLPをグルーピングした場合、各PLPにおいては、物理層よりも上位の層で伝送されるシグナリング情報が存在するPLPと、存在しないPLPとがあり、当該シグナリング情報の存在の有無を通知して、より柔軟な運用を行うことができるようにしたい、という要請があった。
【０００５】
本技術はこのような状況に鑑みてなされたものであり、より柔軟な運用を行うことができるようにするものである。
【課題を解決するための手段】
【０００６】
本技術の第１の側面の受信装置は、IP(Internet Protocol)伝送方式で伝送される放送信号を受信する受信部と、前記IP伝送方式のプロトコルスタックにおける物理層で伝送される第１の制御情報に基づいて、前記物理層よりも上位の層で伝送される第２の制御情報を取得する取得部と、前記第２の制御情報に基づいて、前記放送信号から得られる信号を処理する各部の動作を制御する制御部とを備え、前記物理層では、グルーピングすることが可能な１又は複数のPLP(Physical Layer Pipe)ごとにデータが伝送され、前記第１の制御情報は、前記PLPごとに、前記第２の制御情報が存在するか否かを示す第１の情報と、前記PLPのグループであるPLPグループを識別するための第２の情報と、前記PLPが共有されたシェアードPLPであるか否かを示す第３の情報とを含み、前記第２の制御情報は、放送サービスを選局するための選局情報を含んでいる受信装置である。
【０００７】
本技術の第１の側面の受信装置は、独立した装置であってもよいし、１つの装置を構成している内部ブロックであってもよい。また、本技術の第１の側面の受信方法は、上述した本技術の第１の側面の受信装置に対応する受信方法である。
【０００８】
本技術の第１の側面の受信装置、及び、受信方法においては、IP伝送方式で伝送される放送信号が受信され、前記IP伝送方式のプロトコルスタックにおける物理層で伝送される第１の制御情報に基づいて、前記物理層よりも上位の層で伝送される第２の制御情報が取得され、前記第２の制御情報に基づいて、前記放送信号から得られる信号を処理する各部の動作が制御される。また、前記物理層では、グルーピングすることが可能な１又は複数のPLPごとにデータが伝送され、前記第１の制御情報には、前記PLPごとに、前記第２の制御情報が存在するか否かを示す第１の情報と、前記PLPのグループであるPLPグループを識別するための第２の情報と、前記PLPが共有されたシェアードPLPであるか否かを示す第３の情報とが含まれ、前記第２の制御情報には、放送サービスを選局するための選局情報が含まれる。
【０００９】
本技術の第２の側面の送信装置は、コンテンツを取得する取得部と、IP伝送方式のプロトコルスタックにおける物理層で伝送される第１の制御情報を生成する生成部と、前記IP伝送方式に従い、前記コンテンツとともに、前記第１の制御情報及び前記物理層よりも上位の層で伝送される第２の制御情報を、放送信号として送信する送信部とを備え、前記物理層では、グルーピングすることが可能な１又は複数のPLPごとにデータが伝送され、前記第１の制御情報は、前記PLPごとに、前記第２の制御情報が存在するか否かを示す第１の情報と、前記PLPのグループであるPLPグループを識別するための第２の情報と、前記PLPが共有されたシェアードPLPであるか否かを示す第３の情報とを含み、前記第２の制御情報は、放送サービスを選局するための選局情報を含んでいる送信装置である。
【００１０】
本技術の第２の側面の送信装置は、独立した装置であってもよいし、１つの装置を構成している内部ブロックであってもよい。また、本技術の第２の側面の送信方法は、上述した本技術の第２の側面の送信装置に対応する送信方法である。
【００１１】
本技術の第２の側面の送信装置、及び、送信方法においては、コンテンツが取得され、IP伝送方式のプロトコルスタックにおける物理層で伝送される第１の制御情報が生成され、前記IP伝送方式に従い、前記コンテンツとともに、前記第１の制御情報及び前記物理層よりも上位の層で伝送される第２の制御情報が、放送信号として送信される。また、前記物理層では、グルーピングすることが可能な１又は複数のPLPごとにデータが伝送され、前記第１の制御情報には、前記PLPごとに、前記第２の制御情報が存在するか否かを示す第１の情報と、前記PLPのグループであるPLPグループを識別するための第２の情報と、前記PLPが共有されたシェアードPLPであるか否かを示す第３の情報とが含まれ、前記第２の制御情報には、放送サービスを選局するための選局情報が含まれる。
【発明の効果】
【００１２】
本技術の第１の側面、及び、第２の側面によれば、より柔軟な運用を行うことができる。
【００１３】
なお、ここに記載された効果は必ずしも限定されるものではなく、本開示中に記載されたいずれかの効果であってもよい。
【図面の簡単な説明】
【００１４】
【図１】本技術を適用した伝送システムの一実施の形態の構成を示す図である。
【図２】本技術記述子１のシンタックスの例を示す図である。
【図３】本技術記述子１の記述例を示す図である。
【図４】運用例１のシステムパイプモデルを示す図である。
【図５】運用例１の本技術記述子１の記述例を示す図である。
【図６】運用例２のシステムパイプモデルを示す図である。
【図７】運用例２の本技術記述子１の記述例を示す図である。
【図８】レイヤ構造の概念を説明する図である。
【図９】L1-postシグナリングの記述例を示す図である。
【図１０】既存技術（DVB-NGH）との関係を示す図である。
【図１１】既存技術（DVB-T2）との関係を示す図である。
【図１２】既存技術（ISDB-S）との関係を示す図である。
【図１３】既存技術（ISDB-S）との関係を示す図である。
【図１４】既存技術（ISDB-S）との関係を示す図である。
【図１５】本技術記述子２のシンタックスの例を示す図である。
【図１６】本技術記述子２の記述例を示す図である。
【図１７】運用例３のシステムパイプモデルを示す図である。
【図１８】運用例３の本技術記述子２の記述例を示す図である。
【図１９】運用例４のシステムパイプモデルを示す図である。
【図２０】運用例４の本技術記述子２の記述例を示す図である。
【図２１】レイヤ構造の概念を説明する図である。
【図２２】L1-postシグナリングの記述例を示す図である。
【図２３】既存技術（DVB-T2）との関係を示す図である。
【図２４】送信装置の構成例を示す図である。
【図２５】受信装置の構成例を示す図である。
【図２６】送信処理を説明するフローチャートである。
【図２７】受信処理を説明するフローチャートである。
【図２８】コンピュータの構成例を示す図である。
【発明を実施するための形態】
【００１５】
以下、図面を参照しながら本技術の実施の形態について説明する。なお、説明は以下の順序で行うものとする。
【００１６】
１．システムの構成
２．第１の実施の形態：シェアードPLPをPLPグループIDのビットマップ構造で設定
（１）本技術の第１の実施の形態の概要
（２）運用例
（Ａ）運用例１：PLPが単一のPLPグループに属している場合の運用例
（Ｂ）運用例２：PLPを共有する場合の運用例
（３）シグナリングの伝送方法
（４）既存技術との関係
３．第２の実施の形態：シェアードPLPをフラグで設定
（１）本技術の第２の実施の形態の概要
（２）運用例
（Ａ）運用例３：PLPが単一のPLPグループに属している場合の運用例
（Ｂ）運用例４：PLPを共有する場合の運用例
（３）シグナリングの伝送方法
（４）既存技術との関係
４．各装置の構成
５．各装置で実行される処理の流れ
６．コンピュータの構成
【００１７】
＜１．システムの構成＞
【００１８】
図１は、本技術を適用した伝送システムの一実施の形態の構成を示す図である。なお、システムとは、複数の装置が論理的に集合した物をいう。
【００１９】
図１において、伝送システム１は、送信装置１０と受信装置２０から構成される。この伝送システム１では、ATSC(Advanced Television Systems Committee)等のデジタル放送の規格に準拠したデータ伝送が行われる。
【００２０】
送信装置１０は、テレビ番組等のコンテンツの送信を行う。すなわち、送信装置１０は、コンテンツを構成するビデオやオーディオ等（のコンポーネント）のストリームを、デジタル放送信号として、伝送路３０を介して送信（伝送）する。
【００２１】
受信装置２０は、送信装置１０から伝送路３０を介して送信されてくる、テレビ番組等のコンテンツを受信して出力する。すなわち、受信装置２０は、送信装置１０から送信されるデジタル放送信号を受信して、コンテンツを構成するビデオやオーディオ等（のコンポーネント）のストリームを取得し、コンテンツの映像や音声を出力する。
【００２２】
なお、図１の伝送システム１は、ATSCに準拠したデータ伝送のほか、DVB（Digital Video Broadcasting）やISDB（Integrated Services Digital Broadcasting）などの規格、その他のデータ伝送に適用することができる。また、伝送路３０としては、地上波のほか、衛星回線やケーブルテレビジョン網（有線回線）等を利用することができる。
【００２３】
＜２．第１の実施の形態＞
【００２４】
（１）本技術の第１の実施の形態の概要
【００２５】
ところで、現在策定中のATSC3.0においては、LLS(Link Layer Signaling)シグナリング情報と、SLS(Service Level Signaling)シグナリング情報を規定して、先行して取得されるLLSシグナリング情報に記述される情報に従い、サービスごとのSLSシグナリング情報が取得されるようにしている。
【００２６】
ここで、LLSシグナリング情報としては、例えば、SLT(Service List Table)，EAD(Emergency Alerting Description)，RRD(Region Rating Description)等のメタデータが含まれる。SLTは、サービスの選局に必要な情報など、放送ネットワークにおけるストリームやサービスの構成を示す情報を含む。EADは、緊急警報に関する情報を含む。RRDは、レーティングに関する情報を含む。
【００２７】
SLSシグナリング情報としては、例えば、USD(User Service Description)，MPD(Media Presentation Description)，LSID(LCT Session Instance Description)等のメタデータが含まれる。USDは、他のメタデータの取得先などの情報を含む。MPDは、コンポーネントのストリームの再生を管理するための制御情報である。LSIDは、ROUTE(Real-time Object Delivery over Unidirectional Transport)プロトコルの制御情報である。
【００２８】
なお、ATSC3.0では、データ伝送に、TS(Transport Stream)パケットではなく、UDP/IP、すなわち、UDP(User Datagram Protocol)パケットを含むIP(Internet Protocol)パケットを用いることが決定されている。また、ATSC3.0以外の放送方式でも、将来的に、IPパケットを用いたIP伝送方式が用いられることが期待されている。
【００２９】
また、ATSC3.0では、例えば、複数のサービスで、特定のコンポーネントを共有したり、複数のPLPをグルーピングしたりするなど、各種の運用形態が想定されているが、シグナリング情報の存在の有無を示す情報などを、LLSシグナリング情報やSLSシグナリング情報が伝送される層よりも下位の層（物理層）で伝送して、先に通知されるようにすることで、より柔軟な運用を行うことができるようにしたい、という要請があった。
【００３０】
本技術では、このような要請に対応するための記述子（以下、本技術記述子ともいう）を定義して、より柔軟な運用を行うことができるようにする。なお、以下の説明では、説明の都合上、第１の実施の形態で説明する本技術記述子を、「本技術記述子１」と称する一方で、第２の実施の形態で説明する本技術記述子を、「本技術記述子２」と称して区別するものとする。
【００３１】
（本技術記述子１のシンタックス）
図２は、本技術記述子１のシンタックスの例を示す図である。
【００３２】
6ビットのNUM_PLPは、ある１つの周波数帯域（例えば6MHzの周波数帯域）に配置することができるPLPの個数を示す。NUM_PLPの次は、2ビットのリザーブド領域（reserved）が配置される。リザーブド領域の次には、NUM_PLPが示すPLPの個数に応じて、PLPループが繰り返される。
【００３３】
このPLPループには、次の内容が設定される。すなわち、1ビットのLLS_EXIST_FLAGは、対象のPLPにおいて、LLSシグナリング情報が存在するかどうか示すフラグである。例えば、LLS_EXIST_FLAG="1"である場合、対象のPLPは、LLSシグナリング情報を含んでいることを示す。
【００３４】
7ビットのPLP_GROUP_IDは、対象のPLPが属しているグループを識別するためのIDである。ただし、PLP_GROUP_IDは、ビット列表記（Mnemonic）として、"bslbf(bit string, left bit first)"が指定されており、ビット列として扱われることになる。
【００３５】
図３には、本技術記述子１の具体的な記述例を示している。
【００３６】
ATSC3.0では、１つの周波数帯域（例えば１チャンネルに対応した6MHzの周波数帯域）には、最大64個のPLPを配置可能となることが規定されているので、ここでは、NUM_PLP="64"が設定され、PLPを識別するためのPLP_IDとして、0〜63の値が設定されている場合が例示されている。また、LLS_EXIST_FLAGは、"1"が設定された場合、対象のPLPに、LLSシグナリング情報が存在することを示し、"0"が設定された場合、対象のPLPに、LLSシグナリング情報が存在しないことを示している。
【００３７】
PLP_GROUP_IDは、7ビットからなるビット列における各ビットにグループを割り当てたビットマップ構造で表されている。したがって、7ビットのうち、最下位ビット（LSB：Least Significant Bit)から最上位ビット（MSB：Most Significant Bit）までの各ビットを順番に、PLPグループ１乃至PLPグループ７に割り当てることができる。
【００３８】
図３において、"0"であるPLP_IDで識別されるPLPには、LLS_EXIST_FLAGとして"1"が設定され、PLP_GROUP_IDとして"000 0001"が設定されている。すなわち、このPLPは、LLSシグナリング情報が存在し、かつ、PLPグループ１に属していることになる。
【００３９】
また、"1"であるPLP_IDで識別されるPLPには、LLS_EXIST_FLAGとして"1"が設定され、PLP_GROUP_IDとして"000 0010"が設定されている。すなわち、このPLPは、LLSシグナリング情報が存在し、かつ、PLPグループ２に属していることになる。
【００４０】
また、"2"であるPLP_IDで識別されるPLPには、LLS_EXIST_FLAGとして"0"が設定され、PLP_GROUP_IDとして"000 0011"が設定されている。すなわち、このPLPは、LLSシグナリング情報が存在せず、かつ、PLPグループ１とPLPグループ２の両方に属していることになる。換言すれば、"2"であるPLP_IDのPLPは、PLPグループ１（の"0"であるPLP_IDのPLP）と、PLPグループ２（の"1"であるPLP_IDのPLP）とで、共有（シェアード）されているPLP（以下、シェアードPLPという）であるとも言える。
【００４１】
また、"3"であるPLP_IDで識別されるPLPには、LLS_EXIST_FLAGとして"1"が設定され、PLP_GROUP_IDとして"000 0000"が設定されている。すなわち、このPLPは、LLSシグナリング情報が存在し、かつ、単独のPLPとして構成されるため、PLPグループには属していないことになる。
【００４２】
なお、図３では、PLP_IDが"4"〜"63"となるPLPに対する、LLS_EXIST_FLAGと、PLP_GROUP_IDについては記載していないが、上述したPLPと同様に、LLSシグナリング情報が存在するのであれば、LLS_EXIST_FLAGとして"1"が設定され、PLPグループに属しているのであれば、ビットマップ構造で表されるPLP_GROUP_IDの対象のPLPグループに対応したビットが立てられることになる。また、PLP_GROUP_IDは、7ビットであるとして説明したが、PLP_GROUP_IDに割り当てるビット数は任意である。例えば、PLP_GROUP_IDに、15ビットを割り当てることで、15個のPLPグループを設定することが可能となる。
【００４３】
（２）運用例
【００４４】
次に、図２の本技術記述子１を用いた具体的な運用例を説明する。
【００４５】
（Ａ）運用例１
【００４６】
（システムパイプモデル）
図４は、運用例１のシステムパイプモデルを示す図である。
【００４７】
図４において、所定の周波数帯域（例えば6MHz）を有する放送波（RF Channel）においては、"0"であるPLPIDのPLP（PLP0）と、"1"であるPLPIDのPLP（PLP1）と、"2"であるPLPIDのPLP（PLP2）が伝送されている。
【００４８】
図４において、３個のPLPのうち、PLP0では、IP/UDP上で、NTP(Network Time Protocol)、サービスチャンネル（サービス）、及び、ESG(Electronic Service Guide)サービスのストリームが伝送されている。
【００４９】
PLP0において、サービスチャンネルのストリームは、SLSシグナリング情報、並びにビデオ、オーディオ、及び、字幕のストリームを含む。SLSシグナリング情報は、USDやMPD等のサービスごとのシグナリング情報である。また、ビデオ、オーディオ、及び、字幕のコンポーネントにより、当該サービスチャンネルにより提供されるコンテンツＡ（例えばテレビ番組）が構成される。なお、NTPは、時刻情報である。また、ESGサービスは、電子サービスガイドである。
【００５０】
図４において、PLP1では、IP/UDP上で、サービスチャンネル（サービス）、及び、LLSシグナリング情報のストリームが伝送されている。サービスチャンネルのストリームは、ロバスト性の高いロバストオーディオのストリームを含む。LLSシグナリング情報は、SLT等の特定のサービスに依存しないシグナリング情報である。
【００５１】
ここで、PLP0とPLP1は、同一のPLPグループ１に属している。すなわち、このPLPグループ１においては、PLP1で、LLSシグナリング情報のストリームが伝送されているので、受信装置２０は、そこからSLTを取得し、選局情報として保持することができる。
【００５２】
また、受信装置２０では、コンテンツＡのサービスチャンネル（サービス）が選局された場合、選局情報（SLT）に記述されるブートストラップ情報に従い、PLP0で伝送されているSLSシグナリング情報を取得することができる。そして、受信装置２０は、PLP0のSLSシグナリング情報に基づいて、ビデオ、オーディオ、及び、字幕のストリームを取得して、PLP0のコンテンツＡを再生することになる。
【００５３】
なお、ここでは、PLP1のサービスチャンネルのストリームで、ロバストオーディオのストリームが伝送されているので、PLP0のオーディオの代わりに、PLP1のロバストオーディオが再生されるようにしてもよい。
【００５４】
このように、PLP0とPLP1は、同一のPLPグループ１に属しているが、LLSシグナリング情報はPLP1で伝送される一方、SLSシグナリング情報はPLP0で伝送されている。すなわち、LLSシグナリング情報とSLSシグナリング情報とが、異なるPLPで伝送されている。
【００５５】
また、図４において、PLP2では、IP/UDP上で、NTP、サービスチャンネル（サービス）、LLSシグナリング情報、及び、ESGサービスのストリームが伝送されている。PLP2において、サービスチャンネルのストリームは、SLSシグナリング情報、並びにビデオ、オーディオ、及び、字幕のストリームを含む。ビデオ、オーディオ、及び、字幕のコンポーネントにより、当該サービスチャンネルにより提供されるコンテンツＢ（例えばテレビ番組）が構成される。
【００５６】
ここで、PLP2は、PLPグループには属さず、単独のPLPとして構成される。すなわち、このPLP2では、LLSシグナリング情報のストリームが伝送されているので、受信装置２０は、そこからSLTを取得し、選局情報として保持することができる。
【００５７】
また、受信装置２０では、コンテンツＢのサービスチャンネル（サービス）が選局された場合、選局情報（SLT）に記述されるブートストラップ情報に従い、PLP2で伝送されているSLSシグナリング情報を取得することができる。そして、受信装置２０は、PLP2のSLSシグナリング情報に基づいて、ビデオ、オーディオ、及び、字幕のストリームを取得して、PLP2のコンテンツＢを再生することになる。
【００５８】
このように、PLP2は、単独のPLPとして構成されているため、LLSシグナリング情報とSLSシグナリング情報が共にPLP2で伝送されている。すなわち、LLSシグナリング情報とSLSシグナリング情報とが、同一のPLPで伝送されている。
【００５９】
（本技術記述子１の記述例）
以上のように構成される運用例１のシステムパイプモデル（図４）について、図２の本技術記述子１により、PLPIDで識別されるPLPごとに、LLSシグナリング情報の存在の有無と、PLPグループの所属を表すと、図５に示すようになる。
【００６０】
図５においては、"0"であるPLPIDのPLP（PLP0）では、LLSシグナリング情報（のストリーム）が伝送されていないので、LLS_EXIST_FLAGとして"0"が設定されている。一方で、"1"であるPLPIDのPLP（PLP1）と、"2"であるPLPIDのPLP（PLP2）では、LLSシグナリング情報（のストリーム）が伝送されているので、LLS_EXIST_FLAGとして"1"が設定されている。
【００６１】
また、"0"であるPLPIDのPLP（PLP0）と、"1"であるPLPIDのPLP（PLP1）は、同一のPLPグループ１に属しているので、PLP_GROUP_IDには、共に、PLPグループ１に属していることを表している"000 0001"が設定されている。一方で、"2"であるPLPIDのPLP（PLP2）は、PLPグループには属しておらず、単独のPLPとなるので、PLP_GROUP_IDには、"000 0000"が設定されている。
【００６２】
なお、図４の運用例１のシステムパイプモデルにおいては、３個のPLP（PLP0乃至PLP2）のみが伝送されているので、PLP_IDが"3"〜"63"となるPLPに関する情報は記述する必要はない。
【００６３】
以上のように、運用例１では、図５の本技術記述子１が、ATSC3.0のプロトコルスタックにおける物理層で伝送されるようにすることで、受信装置２０は、図５の本技術記述子１を取得した時点で、例えば、PLPグループ１に属するPLP0とPLP1のうち、PLP1でLLSシグナリング情報が伝送されていることを認識することができる。そのため、例えば、複数のサービスチャンネル（サービス）により特定のコンポーネントを共有したり、あるいは、複数のPLPをグルーピングしたりするなどの各種の運用形態に対しても、柔軟に対応することができる。
【００６４】
また、受信装置２０では、図５の本技術記述子１を取得した時点で、物理層よりも上位の層で伝送されるシグナリング情報の存在を認識できるため、対象のシグナリング情報を迅速に取得して、処理時間を短縮することができる。
【００６５】
（Ｂ）運用例２
【００６６】
（システムパイプモデル）
図６は、運用例２のシステムパイプモデルを示す図である。
【００６７】
図６において、所定の周波数帯域（例えば6MHz）を有する放送波（RF Channel）においては、"0"であるPLPIDのPLP（PLP0）と、"1"であるPLPIDのPLP（PLP1）と、"2"であるPLPIDのPLP（PLP2）が伝送されている。
【００６８】
図６において、３個のPLPのうち、PLP0では、IP/UDP上で、サービスチャンネル（サービス）のストリームが伝送されている。
【００６９】
PLP0において、サービスチャンネルのストリームは、SLSシグナリング情報、並びにビデオ、オーディオ、及び、字幕のストリームを含む。すなわち、ビデオ、オーディオ、及び、字幕等のコンポーネントにより、当該サービスチャンネルにより提供されるコンテンツＣ（例えばテレビ番組）が構成される。
【００７０】
図６において、PLP1では、IP/UDP上で、NTP、LLSシグナリング情報、及び、ESGサービスのストリームが伝送されている。ただし、PLP1は、シェアードPLPとされる。
【００７１】
ここで、PLP0とPLP1は、同一のPLPグループ１に属している。すなわち、このPLPグループ１においては、PLP1(シェアードPLP)で、LLSシグナリング情報のストリームが伝送されているので、受信装置２０は、そこからSLTを取得し、選局情報として保持することができる。
【００７２】
また、受信装置２０では、コンテンツＣのサービスチャンネル（サービス）が選局された場合、選局情報（SLT）に記述されるブートストラップ情報に従い、PLP0で伝送されているSLSシグナリング情報を取得することができる。そして、受信装置２０は、PLP0のSLSシグナリング情報に基づいて、ビデオ、オーディオ、及び、字幕のストリームを取得して、PLP0のコンテンツＣを再生することになる。
【００７３】
このように、PLP0とPLP1は、同一のPLPグループ１に属しているが、LLSシグナリング情報はPLP1(シェアードPLP)で伝送される一方、SLSシグナリング情報はPLP0で伝送されている。すなわち、LLSシグナリング情報とSLSシグナリング情報とが、異なるPLPで伝送されている。
【００７４】
また、図６において、PLP2では、IP/UDP上で、サービスチャンネル（サービス）のストリームが伝送されている。PLP2において、サービスチャンネルのストリームは、SLSシグナリング情報、並びにビデオ、オーディオ、及び、字幕のストリームを含む。すなわち、ビデオ、オーディオ、及び、字幕等のコンポーネントにより、当該サービスチャンネルにより提供されるコンテンツＤ（例えばテレビ番組）が構成される。
【００７５】
ここで、PLP2とPLP1は、同一のPLPグループ２に属している。すなわち、このPLPグループ２においては、PLP1(シェアードPLP)で、LLSシグナリング情報のストリームが伝送されているので、受信装置２０は、そこからSLTを取得し、選局情報として保持することができる。
【００７６】
また、受信装置２０では、コンテンツＤのサービスチャンネル（サービス）が選局された場合、選局情報（SLT）に記述されるブートストラップ情報に従い、PLP2で伝送されているSLSシグナリング情報を取得することができる。そして、受信装置２０は、PLP2のSLSシグナリング情報に基づいて、ビデオ、オーディオ、及び、字幕のストリームを取得して、PLP2のコンテンツＤを再生することになる。
【００７７】
このように、PLP2とPLP1は、同一のPLPグループ２に属しているが、LLSシグナリング情報はPLP1(シェアードPLP)で伝送される一方、SLSシグナリング情報はPLP2で伝送されている。すなわち、LLSシグナリング情報とSLSシグナリング情報とが、異なるPLPで伝送されている。
【００７８】
また、PLP1は、PLPグループ１とPLPグループ２とで、共有されているシェアードPLPであって、PLPグループ１とPLPグループ２の両方のPLPグループに属し、PLPグループ１とPLPグループ２の両方で用いられるNTP、LLSシグナリング情報、及び、ESGサービスのストリームを伝送している。
【００７９】
（本技術記述子１の記述例）
以上のように構成される運用例２のシステムパイプモデル（図６）について、図２の本技術記述子１により、PLPIDで識別されるPLPごとに、LLSシグナリング情報の存在の有無と、PLPグループの所属を表すと、図７に示すようになる。
【００８０】
図７においては、"0"であるPLPIDのPLP（PLP0）と、"2"であるPLPIDのPLP（PLP2）では、LLSシグナリング情報（のストリーム）が伝送されていないので、LLS_EXIST_FLAGとして"0"が設定されている。一方で、"1"であるPLPIDのPLP（PLP1）では、LLSシグナリング情報（のストリーム）が伝送されているので、LLS_EXIST_FLAGとして"1"が設定されている。
【００８１】
また、"0"であるPLPIDのPLP（PLP0）と、"1"であるPLPIDのPLP（PLP1）は、同一のPLPグループ１に属しているので、PLP0のPLP_GROUP_IDには、PLPグループ１に属していることを表している"000 0001"が設定され、PLP1のPLP_GROUP_IDには、PLPグループ１に属していることを表している"000 0011"が設定されている。すなわち、PLP0とPLP1のPLP_GROUP_IDにおいては、共に、PLPグループ１に属していることを表している最下位ビット（LSB）が立っている。
【００８２】
一方で、"1"であるPLPIDのPLP（PLP1）と、"2"であるPLPIDのPLP（PLP2）は、同一のPLPグループ２に属しているので、PLP1のPLP_GROUP_IDには、PLPグループ２に属していることを表している"000 0011"が設定され、PLP2のPLP_GROUP_IDには、PLPグループ２に属していることを表している"000 0010"が設定されている。すなわち、PLP1とPLP2のPLP_GROUP_IDにおいては、共に、PLPグループ２に属していることを表している右側から２番目のビットが立っている。
【００８３】
また、PLP1は、PLP_GROUP_IDとして、"000 0011"が設定され、PLPグループ１とPLPグループ２の両方のPLPグループに属する（共有されている）シェアードPLPとされている。
【００８４】
なお、図６の運用例２のシステムパイプモデルにおいては、３個のPLP（PLP0乃至PLP2）のみが伝送されているので、PLP_IDが"3"〜"63"となるPLPに関する情報は記述する必要はない。
【００８５】
以上のように、運用例２では、図７の本技術記述子１が、ATSC3.0のプロトコルスタックにおける物理層で伝送されるようにすることで、受信装置２０は、図７の本技術記述子１を取得した時点で、例えば、PLPグループ１とPLPグループ２の両方に属している（共有されている）PLP1(シェアードPLP)で、LLSシグナリング情報が伝送されていることを認識することができる。そのため、例えば、複数のサービスチャンネル（サービス）により特定のコンポーネントを共有したり、あるいは、複数のPLPをグルーピングしたりするなどの各種の運用形態に対しても、柔軟に対応することができる。
【００８６】
また、受信装置２０では、図７の本技術記述子１を取得した時点で、物理層よりも上位の層で伝送されるシグナリング情報の存在を認識できるため、対象のシグナリング情報を迅速に取得して、処理時間を短縮することができる。
【００８７】
（３）シグナリングの伝送方法
【００８８】
（レイヤ構造）
図８は、ATSC3.0に対応したレイヤ構造の概念を説明する図である。
【００８９】
図８に示すように、レイヤ３（Ｌ３）では、IPパケット（IP Packet）が伝送される。IPパケットは、IPヘッダ（IP Header）と、UDPヘッダ（UDP Header）及びデータ（Data）から構成される。すなわち、IPパケットは、UDPパケットが含まれたIP/UDPパケットとされる。IPパケット（IP/UDPパケット）のデータには、ビデオやオーディオ等（のコンポーネント）のデータと、LLSやSLSのシグナリング情報などが配置される。
【００９０】
レイヤ２（Ｌ２）では、伝送パケットとしてのGenericパケット（Generic Packet）が伝送される。Genericパケットは、Genericヘッダ（Generic Header）とペイロード（Payload）から構成される。Genericパケットのペイロードには、１又は複数のIPパケット（IP/UDPパケット）が配置され、カプセル化（encapsulation）される。
【００９１】
物理層に相当するレイヤ１（Ｌ１）のBBフレーム（Baseband Frame）は、BBフレームヘッダ（Baseband Frame Header）とペイロード（Payload）から構成される。BBフレームのペイロードには、複数のGenericパケットが配置され、カプセル化される。また、レイヤ１においては、複数のBBフレームをスクランブルして得られるデータ（Data）がFECフレーム（FEC Frame）にマッピングされ、物理層のエラー訂正用のパリティ（Parity）が付加される。
【００９２】
レイヤ１（Ｌ１）の物理層フレーム（ATSC (Physical) Frame）は、ブートストラップ（Bootstrap）、プリアンブル（Preamble）、及び、データ部（Data）から構成される。そして、物理層フレームのデータ部には、複数のFECフレームに対して、ビットインターリーブを行った後に、マッピング処理を行い、さらに、時間方向と周波数方向にインターリーブを行うなどの物理層の処理が行われることで得られるデータがマッピングされる。
【００９３】
ここで、上述した本技術記述子１（図２）は、物理層フレームのプリアンブルに配置することができる。例えば、プリアンブルには、L1-postシグナリング情報が配置されるが、そこに、本技術記述子１の内容を記述することができる。
【００９４】
具体的には、図９に示したATSC3.0に対応したL1-postシグナリング情報において、PLPループ内に配置されている8ビットのPLP_GROUP_IDの代わりに、図２の本技術記述子１で規定されている、1ビットのLLS_EXIST_FLAGと、7ビットのPLP_GROUP_IDが配置されるようにする。これにより、LLSシグナリング情報の存在の有無とPLPグループの所属を、PLPIDで識別されるPLPごとに表した情報が、物理層のシグナリングとして伝送されることになる。
【００９５】
なお、図９では、本技術記述子１の内容が、L1-postシグナリング情報のPLPループ内に配置される場合を示したが、L1-postシグナリング情報に配置するのは一例であって、他の場所に配置されるようにしてもよい。
【００９６】
（４）既存技術との関係
【００９７】
（DVB-NGHとの関係）
図１０は、DVB-NGHとの関係を示す図である。
【００９８】
図１０の「logical channels」に示すように、DVB-NGHでは、STREAM_GROUP_IDを規定して、PLPをグルーピング（PLP cluster）できるようにしているが、複数のPLPグループを跨いで共有されるようなPLPを設定することはできない。また、物理層よりも上位の層に存在するシグナリング情報の存在の有無を通知するような規定も存在していない。
【００９９】
なお、DVB-NGHの詳細な内容は、下記の非特許文献２に開示されている。DVB-NGHにおいても、物理層のシグナリング情報に、本技術記述子１（図２）で規定されている、1ビットのLLS_EXIST_FLAGと、7ビットのPLP_GROUP_IDに相当する情報が配置されるようにすることができる。これにより、物理層よりも上位の層に存在するシグナリング情報の存在の有無とPLPグループの所属を、PLPIDで識別されるPLPごとに表した情報が、物理層のシグナリングとして伝送されるようにすることができる。
【０１００】
非特許文献２：DVB Document A160
【０１０１】
（DVB-T2との関係）
図１１は、DVB-T2との関係を示す図である。
【０１０２】
図１１のDVB-T2で規定されているL1-postシグナリング情報においては、PLPループ内に、8ビットのPLP_GROUP_IDが配置されている。このPLP_GROUP_IDは、同一のPLP_GROUP_IDを有するData PLPと、Common PLPとを関連付けるためのものである。したがって、現状のDVB-T2では、物理層よりも上位の層に存在するシグナリング情報の存在の有無や、複数のPLPグループを跨いで共有されたPLPを通知するための情報は規定されていない。
【０１０３】
そこで、図１１に示すように、DVB-T2で規定されているL1-postシグナリング情報においても、PLPループ内に配置されているPLP_GROUP_IDの代わりに、本技術記述子１（図２）で規定されている、1ビットのLLS_EXIST_FLAGと、7ビットのPLP_GROUP_IDが配置されるようにする。これにより、物理層よりも上位の層に存在するシグナリング情報の存在の有無とPLPグループの所属を、PLPIDで識別されるPLPごとに表した情報が、物理層のシグナリングとして伝送されるようにすることができる。
【０１０４】
なお、DVB-T2に規定されたL1-postシグナリング情報の詳細な内容については、上述した非特許文献１に開示されている。また、DVB-T2と同様に、DVB-C2（ETSI EN 302 769）と、現在DVB-C2に基づき規格策定中の日本の超高精細度ケーブルテレビ規格における伝送においても適用可能である。
【０１０５】
（ISDB-Sとの関係）
図１２は、ISDB-Sとの関係を示す図である。
【０１０６】
図１２に示すように、ISDB-Sでは、48個のスロットを、１フレームとして規定しているが、図１３の相対TS/スロット情報と、図１４の相対TS/TS_ID対応表によって、各スロットのグルーピングを行っている。すなわち、図１３において、各スロットは、同一の相対TS番号を有する他のスロットと同一のグループになる。また、相対TS番号は、図１４の相対TS/TS_ID対応表により、TS_IDと関連付けられる。
【０１０７】
このように、ISDB-Sでは、各スロットをグルーピングできるようにしているが、複数のグループを跨いで共有されるようなスロットを設定することはできない。また、物理層よりも上位の層に存在するシグナリング情報の存在の有無を通知するような規定も存在していない。
【０１０８】
なお、ISDB-Sの詳細な内容は、下記の非特許文献３に開示されている。ISDB-Sにおいても、物理層のシグナリング情報に、本技術記述子１（図２）で規定されている、1ビットのLLS_EXIST_FLAGと、7ビットのPLP_GROUP_IDに相当する情報が配置されるようにすることができる。これにより、物理層よりも上位の層に存在するシグナリング情報の存在の有無とグループの所属を表した情報が、物理層のシグナリングとして伝送されるようにすることができる。
【０１０９】
非特許文献３：ARIB STD-B20 3.0版 社団法人 電波産業会
【０１１０】
＜３．第２の実施の形態＞
【０１１１】
（１）本技術の第２の実施の形態の概要
【０１１２】
上述した第１の実施の形態では、本技術記述子１（図２）において、ビットマップ構造からなるPLPグループID（PLP_GROUP_ID）を規定して、同一のPLPグループに属するPLPに、共通のビットを立てることで、シェアードPLPを設定できるようにしていた。第２の実施の形態では、本技術記述子２において、PLPグループID（PLP_GROUP_ID）とは別に、対象のPLPが、シェアードPLPであるか否かを示すフラグをを規定することで、シェアードPLPを設定できるようにする。
【０１１３】
（本技術記述子２のシンタックス）
図１５は、本技術記述子２のシンタックスの例を示す図である。
【０１１４】
6ビットのNUM_PLPは、ある１つの周波数帯域（例えば6MHzの周波数帯域）に配置することができるPLPの個数を示す。NUM_PLPの次は、2ビットのリザーブド領域（reserved）が配置される。リザーブド領域の次には、NUM_PLPが示すPLPの個数に応じて、PLPループが繰り返される。
【０１１５】
このPLPループには、次の内容が設定される。すなわち、1ビットのLLS_EXIST_FLAGは、対象のPLPにおいて、LLSシグナリング情報が存在するかどうか示すフラグである。例えば、LLS_EXIST_FLAG="1"である場合、対象のPLPは、LLSシグナリング情報を含んでいることを示す。
【０１１６】
1ビットのSHARED_PLP_FLAGは、対象のPLPが共有されたシェアードPLPであるかどうかを示すフラグである。例えば、SHARED_PLP_FLAG="1"である場合、対象のPLPは、シェアードPLPであることを示す。
【０１１７】
6ビットのPLP_GROUP_IDは、対象のPLPが属しているグループを識別するためのIDである。ただし、PLP_GROUP_IDは、ビット列表記（Mnemonic）として、"uimsbf(unsigned integer most significant bit first)"が指定されており、ビット演算して整数として扱われる。
【０１１８】
このように、本技術記述子２では、SHARED_PLP_FLAGが規定されている点で、上述した本技術記述子１（図２）と異なっている。また、本技術記述子２では、PLP_GROUP_IDに、ビット列表記として"uimsbf"が指定されているが、本技術記述子１（図２）では、PLP_GROUP_IDに、"bslbf"が指定されている点で異なっている。さらに、本技術記述子２では、PLP_GROUP_IDのビット数は、6ビットであるが、本技術記述子１（図２）では、PLP_GROUP_IDのビット数は、7ビットである点も異なっている。
【０１１９】
図１６には、本技術記述子２の具体的な記述例を示している。
【０１２０】
ATSC3.0では、１つの周波数帯域（例えば１チャンネルに対応した6MHzの周波数帯域）には、最大64個のPLPを配置可能となることが規定されているので、ここでは、NUM_PLP="64"が設定され、PLPを識別するためのPLP_IDとして、0〜63の値が設定されている場合が例示されている。
【０１２１】
LLS_EXIST_FLAGは、"1"が設定された場合、対象のPLPに、LLSシグナリング情報が存在することを示し、"0"が設定された場合、対象のPLPに、LLSシグナリング情報が存在しないことを示している。また、SHARED_PLP_FLAGは、"1"が設定された場合、対象のPLPがシェアードPLPであることを示し、"0"が設定された場合、対象のPLPがシェアードPLPではないことを示している。
【０１２２】
図１６において、"0"であるPLP_IDで識別されるPLP(PLP0)には、LLS_EXIST_FLAGとして"1"が設定され、SHARED_PLP_FLAGとして"0"が設定されている。また、"1"であるPLP_IDで識別されるPLP(PLP1)には、LLS_EXIST_FLAGとして"0"が設定され、SHARED_PLP_FLAGとして"0"が設定されている。
【０１２３】
これらのPLP0とPLP1には、PLP_GROUP_IDとして"0"が設定されており、同一のPLPグループ（PLPグループ１）に属していることになる。すなわち、このPLPグループ１において、PLP0には、LLSシグナリング情報が存在するが、PLP1には、LLSシグナリング情報が存在せず、さらに、PLP0とPLP1は、シェアードPLPではないことになる。
【０１２４】
また、図１６において、"2"であるPLP_IDで識別されるPLP(PLP2)には、LLS_EXIST_FLAGとして"0"が設定され、SHARED_PLP_FLAGとして"1"が設定されている。また、"3"であるPLP_IDで識別されるPLP(PLP3)には、LLS_EXIST_FLAGとして"0"が設定され、SHARED_PLP_FLAGとして"1"が設定されている。
【０１２５】
これらのPLP2とPLP3には、PLP_GROUP_IDとして"1"が設定されており、同一のPLPグループに属していることになる。すなわち、このPLPグループにおいて、PLP2とPLP3には、共にLLSシグナリング情報が存在せず、さらに、シェアードPLPとして共有されていることになる。
【０１２６】
また、図１６において、"4"であるPLP_IDで識別されるPLP(PLP4)には、LLS_EXIST_FLAGとして"1"が設定され、SHARED_PLP_FLAGとして"0"が設定されている。また、"5"であるPLP_IDで識別されるPLP(PLP5)には、LLS_EXIST_FLAGとして"0"が設定され、SHARED_PLP_FLAGとして"0"が設定されている。
【０１２７】
これらのPLP4とPLP5には、PLP_GROUP_IDとして"2"が設定されており、同一のPLPグループ（PLPグループ２）に属していることになる。すなわち、このPLPグループ２において、PLP4には、LLSシグナリング情報が存在するが、PLP5には、LLSシグナリング情報が存在せず、さらに、PLP4とPLP5は、シェアードPLPではないことになる。
【０１２８】
さらに、図１６において、"6"であるPLP_IDで識別されるPLP(PLP6)には、LLS_EXIST_FLAGとして"1"が設定され、SHARED_PLP_FLAGとして"0"が設定されている。このPLP6には、PLP_GROUP_IDとして"3"が設定されているが、他のPLPには、PLP_GROUP_IDとして"3"が設定されているPLPは存在せず、単独のPLPとして構成されている。すなわち、単独で構成されるPLP6には、LLSシグナリング情報が存在するが、シェアードPLPではないことになる。
【０１２９】
ここで、同一のPLPグループに属するPLP2とPLP3は、シェアードPLPであって、他のPLPに共有されているが、図１６の例では、PLP0とPLP1が属するPLPグループ１、及び、PLP4とPLP5が属するPLPグループ２によって、共有されている。
【０１３０】
すなわち、シェアードPLPであるPLP2とPLP3は、PLPグループ１とPLPグループ２の両方のPLPグループに属していることになる。換言すれば、PLPグループ１には、PLP0，PLP1，PLP2，PLP3が属する一方で、PLPグループ１には、PLP2，PLP3，PLP4，PLP5が属していると言える。なお、PLP6は、単独で構成されるため、シェアードPLPであるPLP2とPLP3を共有していない。
【０１３１】
（２）運用例
【０１３２】
次に、図１５の本技術記述子２を用いた具体的な運用例を説明する。
【０１３３】
（Ａ）運用例３
【０１３４】
（システムパイプモデル）
図１７は、運用例３のシステムパイプモデルを示す図である。
【０１３５】
図１７において、所定の周波数帯域（例えば6MHz）を有する放送波（RF Channel）においては、"0"であるPLPIDのPLP（PLP0）と、"1"であるPLPIDのPLP（PLP1）と、"2"であるPLPIDのPLP（PLP2）が伝送されている。
【０１３６】
図１７において、３個のPLPのうち、PLP0では、IP/UDP上で、NTP、サービスチャンネル（サービス）、及び、ESGサービスのストリームが伝送されている。
【０１３７】
PLP0において、サービスチャンネルのストリームは、SLSシグナリング情報、並びにビデオ、オーディオ、及び、字幕のストリームを含む。SLSシグナリング情報は、USDやMPD等のサービスごとのシグナリング情報である。また、ビデオ、オーディオ、及び、字幕のコンポーネントにより、当該サービスチャンネルにより提供されるコンテンツＡ（例えばテレビ番組）が構成される。
【０１３８】
図１７において、PLP1では、IP/UDP上で、サービスチャンネル（サービス）、及び、LLSシグナリング情報のストリームが伝送されている。サービスチャンネルのストリームは、ロバスト性の高いロバストオーディオのストリームを含む。LLSシグナリング情報は、SLT等の特定のサービスに依存しないシグナリング情報である。
【０１３９】
ここで、PLP0とPLP1は、同一のPLPグループ１に属している。すなわち、このPLPグループ１においては、PLP1で、LLSシグナリング情報のストリームが伝送されているので、受信装置２０は、そこからSLTを取得し、選局情報として保持することができる。
【０１４０】
また、受信装置２０では、コンテンツＡのサービスチャンネル（サービス）が選局された場合、選局情報（SLT）に記述されるブートストラップ情報に従い、PLP0で伝送されているSLSシグナリング情報を取得することができる。そして、受信装置２０は、PLP0のSLSシグナリング情報に基づいて、ビデオ、オーディオ、及び、字幕のストリームを取得して、PLP0のコンテンツＡを再生することになる。
【０１４１】
なお、ここでは、PLP1のサービスチャンネルのストリームで、ロバストオーディオのストリームが伝送されているので、PLP0のオーディオの代わりに、PLP1のロバストオーディオが再生されるようにしてもよい。
【０１４２】
このように、PLP0とPLP1は、同一のPLPグループ１に属しているが、LLSシグナリング情報はPLP1で伝送される一方、SLSシグナリング情報はPLP0で伝送されている。すなわち、LLSシグナリング情報とSLSシグナリング情報とが、異なるPLPで伝送されている。
【０１４３】
また、図１７において、PLP2では、IP/UDP上で、NTP、サービスチャンネル（サービス）、LLSシグナリング情報、及び、ESGサービスのストリームが伝送されている。PLP2において、サービスチャンネルのストリームは、SLSシグナリング情報、並びにビデオ、オーディオ、及び、字幕のストリームを含む。ビデオ、オーディオ、及び、字幕のコンポーネントにより、当該サービスチャンネルにより提供されるコンテンツＢ（例えばテレビ番組）が構成される。
【０１４４】
ここで、PLP2は、単独のPLPとして構成される。すなわち、このPLP2では、LLSシグナリング情報のストリームが伝送されているので、受信装置２０は、そこからSLTを取得し、選局情報として保持することができる。
【０１４５】
また、受信装置２０では、コンテンツＢのサービスチャンネル（サービス）が選局された場合、選局情報（SLT）に記述されるブートストラップ情報に従い、PLP2で伝送されているSLSシグナリング情報を取得することができる。そして、受信装置２０は、PLP2のSLSシグナリング情報に基づいて、ビデオ、オーディオ、及び、字幕のストリームを取得して、PLP2のコンテンツＢを再生することになる。
【０１４６】
このように、PLP2は、単独のPLPとして構成されているため、LLSシグナリング情報とSLSシグナリング情報が共にPLP2で伝送されている。すなわち、LLSシグナリング情報とSLSシグナリング情報とが、同一のPLPで伝送されている。
【０１４７】
（本技術記述子２の記述例）
以上のように構成される運用例３のシステムパイプモデル（図１７）について、図１５の本技術記述子２により、PLPIDで識別されるPLPごとに、LLSシグナリング情報の存在の有無と、シェアードPLPであるか否かと、PLPグループの所属を表すと、図１８に示すようになる。
【０１４８】
図１８においては、"0"であるPLPIDのPLP（PLP0）では、LLSシグナリング情報（のストリーム）が伝送されていないので、LLS_EXIST_FLAGとして"0"が設定されている。一方で、"1"であるPLPIDのPLP（PLP1）と、"2"であるPLPIDのPLP（PLP2）では、LLSシグナリング情報（のストリーム）が伝送されているので、LLS_EXIST_FLAGとして"1"が設定されている。
【０１４９】
また、"0"であるPLPIDのPLP（PLP0）、"1"であるPLPIDのPLP（PLP1）、及び、"2"であるPLPIDのPLP（PLP2）は、すべてシェアードPLPではないため、SHARED_PLP_FLAGとして"0"がそれぞれ設定されている。
【０１５０】
さらに、"0"であるPLPIDのPLP（PLP0）と、"1"であるPLPIDのPLP（PLP1）は、同一のPLPグループ１に属しているので、PLP_GROUP_IDには、共に、PLPグループ１に属していることを表している"0"が設定されている。一方で、"2"であるPLPIDのPLP（PLP2）は、単独のPLPとなるので、PLP_GROUP_IDには、"1"が設定されている。
【０１５１】
なお、図１８の運用例３のシステムパイプモデルにおいては、３個のPLP（PLP0乃至PLP2）のみが伝送されているので、PLP_IDが"3"〜"63"となるPLPに関する情報は記述する必要はない。
【０１５２】
以上のように、運用例３では、図１８の本技術記述子２が、ATSC3.0のプロトコルスタックにおける物理層で伝送されるようにすることで、受信装置２０は、図１８の本技術記述子２を取得した時点で、例えば、PLPグループ１に属するPLP0とPLP1のうち、PLP1でLLSシグナリング情報が伝送されていることを認識することができる。そのため、例えば、複数のサービスチャンネル（サービス）により特定のコンポーネントを共有したり、あるいは、複数のPLPをグルーピングしたりするなどの各種の運用形態に対しても、柔軟に対応することができる。
【０１５３】
また、受信装置２０では、図１８の本技術記述子２を取得した時点で、物理層よりも上位の層で伝送されるシグナリング情報の存在を認識できるため、対象のシグナリング情報を迅速に取得して、処理時間を短縮することができる。さらに、運用形態によっては、PLP_GROUP_IDのビット数を削減したいという要請が想定されるが、本技術記述子２を採用することで、その要請に応えることができる。
【０１５４】
（Ｂ）運用例４
【０１５５】
（システムパイプモデル）
図１９は、運用例４のシステムパイプモデルを示す図である。
【０１５６】
図１９において、所定の周波数帯域（例えば6MHz）を有する放送波（RF Channel）においては、"0"であるPLPIDのPLP（PLP0）と、"1"であるPLPIDのPLP（PLP1）と、"2"であるPLPIDのPLP（PLP2）と、"3"であるPLPIDのPLP（PLP3）と、"4"であるPLPIDのPLP（PLP4）と、"5"であるPLPIDのPLP（PLP5）が伝送されている。
【０１５７】
図１９において、６個のPLPのうち、PLP0では、IP/UDP上で、NTP、LLSシグナリング情報、及び、サービスチャンネル（サービス）のストリームが伝送されている。
【０１５８】
PLP0において、サービスチャンネルのストリームは、SLSシグナリング情報、並びにビデオ、オーディオ、及び、字幕のストリームを含む。すなわち、ビデオ、オーディオ、及び、字幕等のコンポーネントにより、当該サービスチャンネルにより提供されるコンテンツＣ（例えばテレビ番組）が構成される。
【０１５９】
また、PLP1では、IP/UDP上で、サービスチャンネル（サービス）のストリームが伝送されている。このPLP1のサービスチャンネルのストリームは、ロバストオーディオのストリームを含む。
【０１６０】
ここで、PLP0とPLP1は、同一のPLPグループ１に属している。すなわち、このPLPグループ１においては、PLP0で、LLSシグナリング情報のストリームが伝送されているので、受信装置２０は、そこからSLTを取得し、選局情報として保持することができる。
【０１６１】
また、受信装置２０では、コンテンツＣのサービスチャンネル（サービス）が選局された場合、選局情報（SLT）に記述されるブートストラップ情報に従い、PLP0で伝送されているSLSシグナリング情報を取得することができる。そして、受信装置２０は、PLP0のSLSシグナリング情報に基づいて、ビデオ、オーディオ、及び、字幕のストリームを取得して、PLP0のコンテンツＣを再生することになる。
【０１６２】
なお、ここでは、PLP1のサービスチャンネルのストリームで、ロバストオーディオのストリームが伝送されているので、PLP0のオーディオの代わりに、PLP1のロバストオーディオが再生されるようにしてもよい。
【０１６３】
図１９において、PLP2とPLP3は、PLPグループ１とPLPグループ２で共有されるシェアードPLPであって、IP/UDP上で、サービスチャンネルのストリームが伝送されている。PLP2のサービスチャンネルのストリームは、緊急告知用オーディオのストリームを含む。また、PLP3のサービスチャンネルのストリームは、ESGサービスのストリームを含む。
【０１６４】
すなわち、PLPグループ１には、PLP0とPLP1の他に、シェアードPLPとしてのPLP2とPLP3が属している。したがって、受信装置２０は、PLP2で伝送されている、緊急告知用オーディオのストリームを取得することで、PLP0のコンテンツＣの再生時に、緊急告知用の音声を再生することができる。また、受信装置２０は、PLP3で伝送されている、ESGサービスのストリームを取得することで、電子サービスガイドを表示させることができる。
【０１６５】
このように、PLP0、PLP1、PLP2、及び、PLP3は、同一のPLPグループ１に属し、LLSシグナリング情報とSLSシグナリング情報が共にPLP0で伝送されている。また、PLPグループ１において、シェアードPLPとしてのPLP2とPLP3では、緊急告知用オーディオのストリームと、ESGサービスのストリームがそれぞれ伝送されている。受信装置２０は、これらのPLPグループ１に属するPLPを、PLPグループ単位で処理することになる。
【０１６６】
また、図１９において、PLP4では、IP/UDP上で、NTP、LLSシグナリング情報、及び、サービスチャンネル（サービス）のストリームが伝送されている。
【０１６７】
PLP4において、サービスチャンネルのストリームは、SLSシグナリング情報、並びにビデオ、オーディオ、及び、字幕のストリームを含む。すなわち、ビデオ、オーディオ、及び、字幕等のコンポーネントにより、当該サービスチャンネルにより提供されるコンテンツＤ（例えばテレビ番組）が構成される。
【０１６８】
ここで、PLP4は、PLPグループ２に属している。すなわち、このPLPグループ２においては、PLP4で、LLSシグナリング情報のストリームが伝送されているので、受信装置２０は、そこからSLTを取得し、選局情報として保持することができる。
【０１６９】
また、受信装置２０では、コンテンツＤのサービスチャンネル（サービス）が選局された場合、選局情報（SLT）に記述されるブートストラップ情報に従い、PLP4で伝送されているSLSシグナリング情報を取得することができる。そして、受信装置２０は、PLP4のSLSシグナリング情報に基づいて、ビデオ、オーディオ、及び、字幕のストリームを取得して、PLP4のコンテンツＤを再生することになる。
【０１７０】
図１９において、PLP2とPLP3は、PLPグループ１とPLPグループ２で共有されるシェアードPLPであって、PLP2のサービスチャンネルのストリームは、緊急告知用オーディオのストリームを含み、PLP3のサービスチャンネルのストリームは、ESGサービスのストリームを含む。
【０１７１】
すなわち、PLPグループ２には、PLP4の他に、シェアードPLPとしてのPLP2とPLP3が属している。したがって、受信装置２０は、PLP2で伝送されている、緊急告知用オーディオのストリームを取得することで、PLP4のコンテンツＤの再生時に、緊急告知用の音声を再生することができる。また、受信装置２０は、PLP3で伝送されている、ESGサービスのストリームを取得することで、電子サービスガイドを表示させることができる。
【０１７２】
このように、PLP2、PLP3、及び、PLP4は、同一のPLPグループ２に属し、LLSシグナリング情報とSLSシグナリング情報が共にPLP4で伝送されている。また、PLPグループ２において、シェアードPLPとしてのPLP2とPLP3では、緊急告知用オーディオのストリームと、ESGサービスのストリームがそれぞれ伝送されている。受信装置２０は、これらのPLPグループ２に属するPLPを、PLPグループ単位で処理することになる。
【０１７３】
さらに、図１９において、PLP5では、IP/UDP上で、NTP、LLSシグナリング情報、ESGサービス、及び、サービスチャンネル（サービス）のストリームが伝送されている。PLP5において、サービスチャンネルのストリームは、SLSシグナリング情報、並びにビデオ、及び、オーディオのストリームを含む。ビデオ、及び、オーディオのコンポーネントにより、当該サービスチャンネルにより提供されるコンテンツＥ（例えばテレビ番組）が構成される。
【０１７４】
ここで、PLP5は、単独のPLPとして構成される。すなわち、このPLP5では、LLSシグナリング情報のストリームが伝送されているので、受信装置２０は、そこからSLTを取得し、選局情報として保持することができる。
【０１７５】
また、受信装置２０では、コンテンツＥのサービスチャンネル（サービス）が選局された場合、選局情報（SLT）に記述されるブートストラップ情報に従い、PLP5で伝送されているSLSシグナリング情報を取得することができる。そして、受信装置２０は、PLP5のSLSシグナリング情報に基づいて、ビデオ、及び、オーディオのストリームを取得して、PLP5のコンテンツＥを再生することになる。
【０１７６】
このように、PLP5は、単独のPLPとして構成されているため、LLSシグナリング情報とSLSシグナリング情報が共にPLP5で伝送されている。すなわち、LLSシグナリング情報とSLSシグナリング情報とが、同一のPLPで伝送されている。
【０１７７】
（本技術記述子２の記述例）
以上のように構成される運用例４のシステムパイプモデル（図１９）について、図１５の本技術記述子２により、PLPIDで識別されるPLPごとに、LLSシグナリング情報の存在の有無と、シェアードPLPであるか否かと、PLPグループの所属を表すと、図２０に示すようになる。
【０１７８】
図２０においては、"0"であるPLPIDのPLP（PLP0）では、LLSシグナリング情報（のストリーム）が伝送されているので、LLS_EXIST_FLAGとして"1"が設定されている。一方で、"1"であるPLPIDのPLP（PLP1）では、LLSシグナリング情報（のストリーム）が伝送されていないので、LLS_EXIST_FLAGとして"0"が設定されている。
【０１７９】
"0"であるPLPIDのPLP（PLP0）、及び、"1"であるPLPIDのPLP（PLP1）は、共にシェアードPLPではないため、SHARED_PLP_FLAGとして"0"がそれぞれ設定されている。また、"0"であるPLPIDのPLP（PLP0）と、"1"であるPLPIDのPLP（PLP1）は、同一のPLPグループ１に属しているので、PLP_GROUP_IDには、共に、PLPグループ１に属していることを表している"0"が設定されている。
【０１８０】
"2"であるPLPIDのPLP（PLP2）、及び、"3"であるPLPIDのPLP（PLP3）は、共にシェアードPLPであるため、SHARED_PLP_FLAGとして"1"がそれぞれ設定されている。また、"2"であるPLPIDのPLP（PLP2）と、"3"であるPLPIDのPLP（PLP3）は、同一のPLPグループに属しているので、PLP_GROUP_IDとして"1"がそれぞれ設定されている。
【０１８１】
なお、"2"であるPLPIDのPLP（PLP2）と、"3"であるPLPIDのPLP（PLP3）では、LLSシグナリング情報（のストリーム）が伝送されていないので、共に、LLS_EXIST_FLAGとして"0"が設定されている。
【０１８２】
"4"であるPLPIDのPLP（PLP4）では、LLSシグナリング情報（のストリーム）が伝送されているので、LLS_EXIST_FLAGとして"1"が設定されている。また、"4"であるPLPIDのPLP（PLP4）は、シェアードPLPではないため、SHARED_PLP_FLAGとして"0"が設定されている。さらに、"4"であるPLPIDのPLP（PLP4）は、PLPグループ２に属しているため、PLP_GROUP_IDには、PLPグループ２に属していることを表している"2"が設定されている。
【０１８３】
"5"であるPLPIDのPLP（PLP5）では、LLSシグナリング情報（のストリーム）が伝送されているので、LLS_EXIST_FLAGとして"1"が設定されている。また、"5"であるPLPIDのPLP（PLP5）は、シェアードPLPではないため、SHARED_PLP_FLAGとして"0"が設定されている。さらに、"5"であるPLPIDのPLP（PLP5）は、単独のPLPで構成されるが、PLP_GROUP_IDとして、"3"が設定されている。
【０１８４】
なお、図１９の運用例４のシステムパイプモデルにおいては、６個のPLP（PLP0乃至PLP5）のみが伝送されているので、PLP_IDが"6"〜"63"となるPLPに関する情報は記述する必要はない。
【０１８５】
以上のように、運用例４では、図２０の本技術記述子２が、ATSC3.0のプロトコルスタックにおける物理層で伝送されるようにすることで、受信装置２０は、図２０の本技術記述子２を取得した時点で、例えば、PLPグループ１に属するPLPのうち、PLP0でLLSシグナリング情報が伝送されていることを認識することができる。そのため、例えば、複数のサービスチャンネル（サービス）により特定のコンポーネントを共有したり、あるいは、複数のPLPをグルーピングしたりするなどの各種の運用形態に対しても、柔軟に対応することができる。
【０１８６】
また、受信装置２０では、図２０の本技術記述子２を取得した時点で、物理層よりも上位の層で伝送されるシグナリング情報の存在を認識できるため、対象のシグナリング情報を迅速に取得して、処理時間を短縮することができる。さらに、運用形態によっては、PLP_GROUP_IDのビット数を削減したいという要請が想定されるが、本技術記述子２を採用することで、その要請に応えることができる。
【０１８７】
ただし、この場合、受信装置２０では、本技術記述子２のLLS_EXIST_FLAGにより特定される、LLSシグナリング情報が存在するPLPのシグナリング情報を解析した上で、共有されるPLP（シェアードPLP）を選局することになるため、２段階の処理が行われることになる。
【０１８８】
（３）シグナリングの伝送方法
【０１８９】
（レイヤ構造）
図２１は、ATSC3.0に対応したレイヤ構造の概念を説明する図である。
【０１９０】
図２１に示すように、レイヤ３（Ｌ３）では、IPパケット（IP Packet）が伝送される。IPパケットは、IPヘッダ（IP Header）と、UDPヘッダ（UDP Header）及びデータ（Data）から構成される。すなわち、IPパケットは、UDPパケットが含まれたIP/UDPパケットとされる。IPパケット（IP/UDPパケット）のデータには、ビデオやオーディオ等（のコンポーネント）のデータと、LLSやSLSのシグナリング情報などが配置される。
【０１９１】
レイヤ２（Ｌ２）では、伝送パケットとしてのGenericパケット（Generic Packet）が伝送される。Genericパケットは、Genericヘッダ（Generic Header）とペイロード（Payload）から構成される。Genericパケットのペイロードには、１又は複数のIPパケット（IP/UDPパケット）が配置され、カプセル化（encapsulation）される。
【０１９２】
物理層に相当するレイヤ１（Ｌ１）のBBフレーム（Baseband Frame）は、BBフレームヘッダ（Baseband Frame Header）とペイロード（Payload）から構成される。BBフレームのペイロードには、複数のGenericパケットが配置され、カプセル化される。また、レイヤ１においては、複数のBBフレームをスクランブルして得られるデータ（Data）がFECフレーム（FEC Frame）にマッピングされ、物理層のエラー訂正用のパリティ（Parity）が付加される。
【０１９３】
レイヤ１（Ｌ１）の物理層フレーム（ATSC (Physical) Frame）は、ブートストラップ（Bootstrap）、プリアンブル（Preamble）、及び、データ部（Data）から構成される。そして、物理層フレームのデータ部には、複数のFECフレームに対して、ビットインターリーブを行った後に、マッピング処理を行い、さらに、時間方向と周波数方向にインターリーブを行うなどの物理層の処理が行われることで得られるデータがマッピングされる。
【０１９４】
ここで、上述した本技術記述子２（図１５）は、物理層フレームのプリアンブルに配置することができる。例えば、プリアンブルには、L1-postシグナリング情報が配置されるが、そこに、本技術記述子２の内容を記述することができる。
【０１９５】
具体的には、図２２に示したATSC3.0に対応したL1-postシグナリング情報において、PLPループ内に配置されている8ビットのPLP_GROUP_IDの代わりに、図１５の本技術記述子２で規定されている、1ビットのLLS_EXIST_FLAGと、1ビットのSHARED_PLP_FLAGと、6ビットのPLP_GROUP_IDが配置されるようにする。これにより、LLSシグナリング情報の存在の有無と、シェアードPLPであるか否かと、PLPグループの所属を、PLPIDで識別されるPLPごとに表した情報が、物理層のシグナリングとして伝送されることになる。
【０１９６】
なお、図２２では、本技術記述子２の内容が、L1-postシグナリング情報のPLPループ内に配置される場合を示したが、L1-postシグナリング情報に配置するのは一例であって、他の場所に配置されるようにしてもよい。
【０１９７】
（４）既存技術との関係
【０１９８】
（DVB-NGHとの関係）
上述した図１０（DVB-NGHとの関係を示す図）の「logical channels」に示したように、DVB-NGHでは、STREAM_GROUP_IDを規定して、PLPをグルーピング（PLP cluster）できるようにしているが、複数のPLPグループを跨いで共有されるようなPLPを設定することはできない。また、物理層よりも上位の層に存在するシグナリング情報の存在の有無を通知するような規定も存在していない。
【０１９９】
DVB-NGHにおいても、物理層のシグナリング情報に、本技術記述子２（図１５）で規定されている、1ビットのLLS_EXIST_FLAGと、1ビットのSHARED_PLP_FLAGと、6ビットのPLP_GROUP_IDに相当する情報が配置されるようにすることができる。これにより、物理層よりも上位の層に存在するシグナリング情報の存在の有無と、シェアードPLPであるか否かと、PLPグループの所属を、PLPIDで識別されるPLPごとに表した情報が、物理層のシグナリングとして伝送されるようにすることができる。
【０２００】
（DVB-T2との関係）
図２３は、DVB-T2との関係を示す図である。
【０２０１】
図２３のDVB-T2で規定されているL1-postシグナリング情報においては、PLPループ内に、8ビットのPLP_GROUP_IDが配置されている。このPLP_GROUP_IDは、同一のPLP_GROUP_IDを有するData PLPと、Common PLPとを関連付けるためのものである。したがって、現状のDVB-T2では、物理層よりも上位の層に存在するシグナリング情報の存在の有無や、複数のPLPグループを跨いで共有されたPLPを通知するための情報は規定されていない。
【０２０２】
そこで、図２３に示すように、DVB-T2で規定されているL1-postシグナリング情報においても、PLPループ内に配置されているPLP_GROUP_IDの代わりに、本技術記述子２（図１５）で規定されている、1ビットのLLS_EXIST_FLAGと、1ビットのSHARED_PLP_FLAGと、6ビットのPLP_GROUP_IDが配置されるようにする。これにより、物理層よりも上位の層に存在するシグナリング情報の存在の有無と、シェアードPLPであるか否かと、PLPグループの所属を、PLPIDで識別されるPLPごとに表した情報が、物理層のシグナリングとして伝送されるようにすることができる。
【０２０３】
なお、DVB-T2に規定されたL1-postシグナリング情報の詳細な内容については、上述した非特許文献１に開示されている。また、DVB-T2と同様に、DVB-C2（ETSI EN 302 769）と、現在DVB-C2に基づき規格策定中の日本の超高精細度ケーブルテレビ規格における伝送においても適用可能である。
【０２０４】
（ISDB-Sとの関係）
上述した図１２（ISDB-Sとの関係を示す図）に示したように、ISDB-Sでは、48個のスロットを、１フレームとして規定しているが、相対TS/スロット情報（図１３）と、相対TS/TS_ID対応表（図１４）によって、各スロットのグルーピングを行っている。すなわち、各スロットは、同一の相対TS番号を有する他のスロットと同一のグループになる。また、相対TS番号は、相対TS/TS_ID対応表（図１４）により、TS_IDと関連付けられる。
【０２０５】
このように、ISDB-Sでは、各スロットをグルーピングできるようにしているが、複数のグループを跨いで共有されるようなスロットを設定することはできない。また、物理層よりも上位の層に存在するシグナリング情報の存在の有無を通知するような規定も存在していない。
【０２０６】
そこで、ISDB-Sにおいても、物理層のシグナリング情報に、本技術記述子２（図１５）で規定されている、1ビットのLLS_EXIST_FLAGと、1ビットのSHARED_PLP_FLAGと、6ビットのPLP_GROUP_IDに相当する情報が配置されるようにすることができる。これにより、物理層よりも上位の層に存在するシグナリング情報の存在の有無と、シェアードPLPであるか否かと、グループの所属を表した情報が、物理層のシグナリングとして伝送されるようにすることができる。
【０２０７】
＜４．各装置の構成＞
【０２０８】
次に、図１の伝送システム１を構成する、送信装置１０と受信装置２０の詳細な構成を説明する。
【０２０９】
（送信装置の構成）
図２４は、図１の送信装置１０の構成例を示す図である。
【０２１０】
図２４において、送信装置１０は、制御部１０１、コンポーネント取得部１０２、エンコーダ１０３、シグナリング生成部１０４、シグナリング処理部１０５、パケット生成部１０６、物理層フレーム生成部１０７、及び、送信部１０８から構成される。
【０２１１】
制御部１０１は、送信装置１０の各部の動作を制御する。
【０２１２】
コンポーネント取得部１０２は、特定のサービスにより提供されるコンテンツ（例えばテレビ番組）を構成するビデオやオーディオ、字幕等（のコンポーネント）のデータを取得し、エンコーダ１０３に供給する。エンコーダ１０３は、コンポーネント取得部１０２から供給される、ビデオやオーディオ等（のコンポーネント）のデータを、所定の符号化方式に従って符号化して、パケット生成部１０６に供給する。
【０２１３】
なお、コンテンツとしては、例えば、既に収録されたコンテンツの保管場所から、放送時間帯に応じて該当するコンテンツが取得されたり、あるいはスタジオやロケーション場所からライブのコンテンツが取得されたりする。
【０２１４】
シグナリング生成部１０４は、外部のサーバや内蔵するストレージ等から、シグナリング情報を生成するための素データを取得する。シグナリング生成部１０４は、シグナリング情報の素データを用いて、シグナリング情報を生成する。
【０２１５】
ここでは、シグナリング情報として、例えば、L1-postシグナリング情報、LLSシグナリング情報、及び、SLSシグナリング情報などが生成される。シグナリング情報のうち、LLSシグナリング情報とSLSシグナリング情報は、パケット生成部１０６に供給され、L1-postシグナリング情報は、物理層フレーム生成部１０７に供給される。
【０２１６】
ただし、L1-postシグナリング情報には、例えば、PLPループ内に、本技術記述子１（図２）又は本技術記述子２（図１５）が配置されることになる。ここで、本技術記述子１には、PLPごとに、LLSシグナリング情報の存在の有無と、PLPグループの所属を表した情報（LLS_EXIST_FLAG，PLP_GROUP_ID）が設定される。また、本技術記述子２には、PLPごとに、LLSシグナリング情報の存在の有無と、シェアードPLPであるか否かと、PLPグループの所属を表した情報（LLS_EXIST_FLAG，SHARED_PLP_FLAG，PLP_GROUP_ID）が設定される。
【０２１７】
パケット生成部１０６は、エンコーダ１０３から供給されるビデオやオーディオ等（のコンポーネント）のデータと、シグナリング処理部１０５から供給されるLLSシグナリング情報及びSLSシグナリング情報を用い、IPパケット(IP/UDPパケット)を生成する。また、パケット生成部１０６は、１又は複数のIPパケットをカプセル化することで、Genericパケットを生成し、物理層フレーム生成部１０７に供給する。
【０２１８】
物理層フレーム生成部１０７は、パケット生成部１０６から供給される、複数のGenericパケットをカプセル化などすることで、物理層フレームを生成し、送信部１０８に供給する。ただし、物理層フレームを構成するプリアンブルには、シグナリング処理部１０５から供給されるL1-postシグナリング情報が配置される。
【０２１９】
送信部１０８は、物理層フレーム生成部１０７から供給される物理層フレームに対して、例えばOFDM(Orthogonal Frequency Division Multiplexing)変調などの処理を行い、アンテナ１１１を介して、デジタル放送信号として送信する。
【０２２０】
なお、図２４の送信装置１０において、すべての機能ブロックが、物理的に単一の装置内に配置される必要はなく、少なくとも一部の機能ブロックが、他の機能ブロックとは物理的に独立した装置として構成されるようにしてもよい。
【０２２１】
（受信装置の構成）
図２５は、図１の受信装置２０の構成例を示す図である。
【０２２２】
図２５において、受信装置２０は、制御部２０１、受信部２０２、物理層フレーム処理部２０３、パケット処理部２０４、シグナリング処理部２０５、デコーダ２０６、表示部２０７、及び、スピーカ２０８から構成される。
【０２２３】
制御部２０１は、受信装置２０の各部の動作を制御する。
【０２２４】
受信部２０２は、送信装置１０から送信されてくるデジタル放送信号を、アンテナ２１１を介して受信して、例えばOFDM復調などの処理を行い、それにより得られる物理層フレームを、物理層フレーム処理部２０３に供給する。
【０２２５】
物理層フレーム処理部２０３は、受信部２０２から供給される物理層フレームに対する処理を行い、Genericパケットを抽出し、パケット処理部２０４に供給する。また、物理層フレーム処理部２０３は、物理層フレームのプリアンブルに配置されたL1-postシグナリング情報を取得して、シグナリング処理部２０５に供給する。
【０２２６】
また、パケット処理部２０４は、物理層フレーム処理部２０３から供給されるGenericパケットから、IPパケット(IP/UDPパケット)を抽出して、コンポーネントのデータと、LLSシグナリング情報と、SLSシグナリング情報を取得する。ここで、LLSシグナリング情報とSLSシグナリング情報は、シグナリング処理部２０５に供給され、コンポーネントのデータは、デコーダ２０６に供給される。
【０２２７】
シグナリング処理部２０５には、物理層フレーム処理部２０３からのL1-postシグナリング情報と、パケット処理部２０４からのLLSシグナリング情報及びSLSシグナリング情報が供給される。シグナリング処理部２０５は、L1-postシグナリング情報、LLSシグナリング情報、又は、SLSシグナリング情報を適宜処理して、制御部２０１に供給する。
【０２２８】
制御部２０１は、シグナリング処理部２０５から供給されるシグナリング情報に基づいて、各部の動作を制御する。例えば、制御部２０１は、L1-postシグナリング情報に基づいて、物理層フレーム処理部２０３で行われる処理を制御する。また、例えば、制御部２０１は、LLSシグナリング情報及びSLSシグナリング情報に基づいて、パケット処理部２０４で行われるパケットのフィルタリングを制御し、ビデオやオーディオ等（のコンポーネント）のデータがデコーダ２０６に供給されるようにする。
【０２２９】
ただし、L1-postシグナリング情報には、例えば、PLPループ内に、本技術記述子１（図２）又は本技術記述子２（図１５）が配置されることになる。ここで、本技術記述子１には、PLPごとに、LLSシグナリング情報の存在の有無と、PLPグループの所属を表した情報（LLS_EXIST_FLAG，PLP_GROUP_ID）が設定される。また、本技術記述子２には、PLPごとに、LLSシグナリング情報の存在の有無と、シェアードPLPであるか否かと、PLPグループの所属を表した情報（LLS_EXIST_FLAG，SHARED_PLP_FLAG，PLP_GROUP_ID）が設定される。
【０２３０】
デコーダ２０６は、パケット処理部２０４から供給される、ビデオやオーディオ等（のコンポーネント）のデータに対して、所定の復号方式に従って復号して、その結果得られるビデオデータを表示部２０７に供給し、オーディオデータをスピーカ２０８に供給する。
【０２３１】
表示部２０７は、デコーダ２０６から供給されるビデオデータに対応する映像を表示する。また、スピーカ２０８は、デコーダ２０６から供給されるオーディオデータに対応する音声を出力する。これにより、受信装置２０においては、ユーザにより選局されたサービスにより提供されるコンテンツ（例えばテレビ番組）の映像と音声が出力される。
【０２３２】
なお、図２５においては、受信装置２０が、テレビ受像機等の固定受信機や、スマートフォンやタブレット端末等のモバイル受信機である場合として、表示部２０７及びスピーカ２０８が内蔵されている場合の構成を示したが、例えば、録画機やセットトップボックス（STB：Set Top Box）などの場合には、表示部２０７及びスピーカ２０８が外部に設けられた構成となる。
【０２３３】
＜５．各装置で実行される処理の流れ＞
【０２３４】
次に、図２６乃至図２７のフローチャートを参照して、図１の伝送システム１を構成する各装置で実行される処理の流れを説明する。
【０２３５】
（送信処理）
まず、図２６のフローチャートを参照して、図１の送信装置１０により実行される送信処理の流れを説明する。
【０２３６】
ステップＳ１０１においては、コンポーネント・シグナリング取得処理が行われる。
【０２３７】
このコンポーネント・シグナリング取得処理では、コンポーネント取得部１０２によりビデオやオーディオ等のコンポーネントが取得され、エンコーダ１０３によりビデオやオーディオ等のコンポーネントのデータが符号化される。また、コンポーネント・シグナリング取得処理では、シグナリング生成部１０４によりシグナリング情報が生成され、シグナリング処理部１０５によりシグナリング情報が処理される。
【０２３８】
ステップＳ１０２においては、パケット・フレーム生成処理が行われる。
【０２３９】
このパケット・フレーム生成処理では、パケット生成部１０６によりIPパケットやGenericパケットが生成され、物理層フレーム生成部１０７により物理層フレームが生成される。ここでは、物理層フレームのプリアンブルに配置されるL1-postシグナリング情報のPLPループ内に、本技術記述子１（図２）又は本技術記述子２（図１５）が配置される。
【０２４０】
ただし、本技術記述子１には、PLPごとに、LLSシグナリング情報の存在の有無と、PLPグループの所属を表した情報（LLS_EXIST_FLAG，PLP_GROUP_ID）が設定される。また、本技術記述子２には、PLPごとに、LLSシグナリング情報の存在の有無と、シェアードPLPであるか否かと、PLPグループの所属を表した情報（LLS_EXIST_FLAG，SHARED_PLP_FLAG，PLP_GROUP_ID）が設定される。
【０２４１】
ステップＳ１０３においては、デジタル放送信号送信処理が行われる。
【０２４２】
このデジタル放送信号送信処理では、送信部１０８により、物理層フレームに対する処理が行われ、アンテナ１１１を介してデジタル放送信号として送信される。
【０２４３】
以上、送信処理の流れについて説明した。
【０２４４】
（受信処理）
次に、図２７のフローチャートを参照して、図１の受信装置２０により実行される受信処理の流れを説明する。
【０２４５】
ステップＳ２０１においては、デジタル放送信号受信処理が行われる。
【０２４６】
このデジタル放送信号受信処理では、受信部２０２により、アンテナ２１１を介してデジタル放送信号が受信される。
【０２４７】
ステップＳ２０２においては、パケット・フレーム処理が行われる。
【０２４８】
このパケット・フレーム処理では、物理層フレーム処理部２０３により、物理層フレームからGenericパケットやL1-postシグナリング情報が抽出され、パケット処理部２０４により、GenericパケットからIPパケットやLLSシグナリング情報が抽出される。また、パケット処理部２０４は、IPパケットからコンポーネントのデータ、LLSシグナリング情報やSLSシグナリング情報を抽出する。
【０２４９】
ただし、L1-postシグナリング情報のPLPループ内には、本技術記述子１（図２）又は本技術記述子２（図１５）が配置されている。ここで、本技術記述子１には、PLPごとに、LLSシグナリング情報の存在の有無と、PLPグループの所属を表した情報（LLS_EXIST_FLAG，PLP_GROUP_ID）が設定される。また、本技術記述子２には、PLPごとに、LLSシグナリング情報の存在の有無と、シェアードPLPであるか否かと、PLPグループの所属を表した情報（LLS_EXIST_FLAG，SHARED_PLP_FLAG，PLP_GROUP_ID）が設定される。
【０２５０】
制御部２０１は、LLS_EXIST_FLAGやPLP_GROUP_ID，SHARED_PLP_FLAGに基づいて、パケット処理部２０４やシグナリング処理部２０５等を制御して、例えば、PLPグループに属するPLPのうち、特定のPLPからLLSシグナリング情報が取得されるようにするための処理などが行われるようにする。
【０２５１】
ステップＳ２０３においては、シグナリング・コンポーネント処理が行われる。
【０２５２】
このシグナリング・コンポーネント処理では、制御部２０１により、LLSシグナリング情報やSLSシグナリング情報に基づいて、各部の動作が制御され、デコーダ２０６により、ビデオやオーディオ等のコンポーネントのデータが復号される。これにより、コンテンツの映像が表示部２０７に表示され、その音声がスピーカ２０８から出力される。
【０２５３】
以上、受信処理の流れについて説明した。
【０２５４】
＜６．コンピュータの構成＞
【０２５５】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２８は、上述した一連の処理をプログラムにより実行するコンピュータのハードウェアの構成例を示す図である。
【０２５６】
コンピュータ９００において、CPU（Central Processing Unit）９０１，ROM（Read Only Memory）９０２，RAM（Random Access Memory）９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０２５７】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０２５８】
以上のように構成されるコンピュータ９００では、CPU９０１が、ROM９０２や記録部９０８に記録されているプログラムを、入出力インターフェース９０５及びバス９０４を介して、RAM９０３にロードして実行することにより、上述した一連の処理が行われる。
【０２５９】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０２６０】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０２６１】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０２６２】
なお、本技術の実施の形態は、上述した実施の形態に限定されるものではなく、本技術の要旨を逸脱しない範囲において種々の変更が可能である。
【０２６３】
また、本技術は、以下のような構成をとることができる。
【０２６４】
（１）
IP(Internet Protocol)伝送方式で伝送されるコンテンツを受信する受信部と、
前記IP伝送方式のプロトコルスタックにおける物理層で伝送される第１の制御情報に基づいて、前記物理層よりも上位の層で伝送される第２の制御情報を取得する取得部と、
前記第２の制御情報に基づいて、前記コンテンツを処理する各部の動作を制御する制御部と
を備え、
前記物理層では、グルーピングすることが可能な１又は複数のPLP(Physical Layer Pipe)ごとにデータが伝送され、
前記第１の制御情報は、前記PLPごとに、
前記第２の制御情報が存在するか否かを示す第１の情報と、
前記PLPのグループであるPLPグループを識別するための第２の情報と、
前記PLPが共有されたシェアードPLPであるか否かを示す第３の情報と
を含んでいる
受信装置。
（２）
前記シェアードPLPは、複数の前記PLPグループに属している
（１）に記載の受信装置。
（３）
前記第２の制御情報は、前記PLPグループごとに伝送される
（１）又は（２）に記載の受信装置。
（４）
前記IP伝送方式は、ATSC(Advanced Television Systems Committee)3.0に準拠しており、
前記第１の制御情報は、プリアンブルとデータ部から構成される物理層フレームにおける前記プリアンブルに配置される
（１）乃至（３）のいずれかに記載の受信装置。
（５）
前記第１の制御情報は、前記ATSC3.0で規定されるL1-postシグナリング情報であり、
前記第２の制御情報は、前記コンテンツを選局するための情報を含むLLS(Link Layer Signaling)シグナリング情報である
（４）に記載の受信装置。
（６）
受信装置の受信方法において、
前記受信装置が、
IP伝送方式で伝送されるコンテンツを受信し、
前記IP伝送方式のプロトコルスタックにおける物理層で伝送される第１の制御情報に基づいて、前記物理層よりも上位の層で伝送される第２の制御情報を取得し、
前記第２の制御情報に基づいて、前記コンテンツを処理する各部の動作を制御する
ステップを含み、
前記物理層では、グルーピングすることが可能な１又は複数のPLPごとにデータが伝送され、
前記第１の制御情報は、前記PLPごとに、
前記第２の制御情報が存在するか否かを示す第１の情報と、
前記PLPのグループであるPLPグループを識別するための第２の情報と、
前記PLPが共有されたシェアードPLPであるか否かを示す第３の情報と
を含んでいる
受信方法。
（７）
IP伝送方式で伝送されるコンテンツを取得する取得部と、
前記IP伝送方式のプロトコルスタックにおける物理層で伝送される第１の制御情報を生成する生成部と、
前記IP伝送方式に従い、前記コンテンツとともに、前記第１の制御情報及び前記物理層よりも上位の層で伝送される第２の制御情報を送信する送信部と
を備え、
前記物理層では、グルーピングすることが可能な１又は複数のPLPごとにデータが伝送され、
前記第１の制御情報は、前記PLPごとに、
前記第２の制御情報が存在するか否かを示す第１の情報と、
前記PLPのグループであるPLPグループを識別するための第２の情報と、
前記PLPが共有されたシェアードPLPであるか否かを示す第３の情報と
を含んでいる
送信装置。
（８）
前記シェアードPLPは、複数の前記PLPグループに属している
（７）に記載の送信装置。
（９）
前記第２の制御情報は、前記PLPグループごとに伝送される
（７）又は（８）に記載の送信装置。
（１０）
前記IP伝送方式は、ATSC3.0に準拠しており、
前記第１の制御情報は、プリアンブルとデータ部から構成される物理層フレームにおける前記プリアンブルに配置される
（７）乃至（９）のいずれかに記載の送信装置。
（１１）
前記第１の制御情報は、前記ATSC3.0で規定されるL1-postシグナリング情報であり、
前記第２の制御情報は、前記コンテンツを選局するための情報を含むLLSシグナリング情報である
（１０）に記載の送信装置。
（１２）
送信装置の送信方法において、
前記送信装置が、
IP伝送方式で伝送されるコンテンツを取得し、
前記IP伝送方式のプロトコルスタックにおける物理層で伝送される第１の制御情報を生成し、
前記IP伝送方式に従い、前記コンテンツとともに、前記第１の制御情報及び前記物理層よりも上位の層で伝送される第２の制御情報を送信する
ステップを含み、
前記物理層では、グルーピングすることが可能な１又は複数のPLPごとにデータが伝送され、
前記第１の制御情報は、前記PLPごとに、
前記第２の制御情報が存在するか否かを示す第１の情報と、
前記PLPのグループであるPLPグループを識別するための第２の情報と、
前記PLPが共有されたシェアードPLPであるか否かを示す第３の情報と
を含んでいる
送信方法。
【符号の説明】
【０２６５】
１  伝送システム，  １０  送信装置，  ２０  受信装置，  ３０  伝送路，  １０１  制御部，  １０２  コンポーネント取得部，  １０４  シグナリング生成部，  １０６  パケット生成部，  １０７  物理層フレーム生成部，  １０８  送信部，  ２０１  制御部，  ２０２  受信部，  ２０３  物理層フレーム処理部，  ２０４  パケット処理部，  ２０５  シグナリング処理部，  ９００  コンピュータ，  ９０１  CPU
【図１】
0006607373.tif 000002
【図２】
0006607373.tif 000003
【図３】
0006607373.tif 000004
【図４】
0006607373.tif 000005
【図５】
0006607373.tif 000006
【図６】
0006607373.tif 000007
【図７】
0006607373.tif 000008
【図８】
0006607373.tif 000009
【図９】
0006607373.tif 000010
【図１０】
0006607373.tif 000011
【図１１】
0006607373.tif 000012
【図１２】
0006607373.tif 000013
【図１３】
0006607373.tif 000014
【図１４】
0006607373.tif 000015
【図１５】
0006607373.tif 000016
【図１６】
0006607373.tif 000017
【図１７】
0006607373.tif 000018
【図１８】
0006607373.tif 000019
【図１９】
0006607373.tif 000020
【図２０】
0006607373.tif 000021
【図２１】
0006607373.tif 000022
【図２２】
0006607373.tif 000023
【図２３】
0006607373.tif 000024
【図２４】
0006607373.tif 000025
【図２５】
0006607373.tif 000026
【図２６】
0006607373.tif 000027
【図２７】
0006607373.tif 000028
【図２８】
0006607373.tif 000029